(57)【要約】【課題】観賞者が自らの意思で好みの映像・音楽プログラムを任意に選択でき、同一時間において単一のプログラムの再生にとらわれない車載用映像・音声視聴装置を提供する。【解決手段】無線信号受信アンテナを備えた本体ボックス１０を含み、本体ボックス１０の内部に、メモリ１１、無線信号受信アンテナに接続されたブースター１２及び複数のＡＶマルチプレクサ２５が設けられ、本体ボックス１０の外部入力端子にＶＣＤ／ＤＶＤ再生装置１３が接続され、本体ボックス１０の外部出力端子に複数のディスプレイモニター１４及び複数の制御パネル１５が接続され、制御パネル１５にテレビゲームコントローラ１６またはイヤホン１７、ヘッドマウントディスプレイを接続するための２つ以上の挿入孔１５１，１５２が設けられる。【選択図】図１
0003127631.tif 000002
【実用新案登録請求の範囲】
【請求項１】
無線信号受信アンテナを備えた本体ボックスを含み、前記本体ボックスの内部に、メモリ、前記無線信号受信アンテナに接続されたブースター及び複数のＡＶマルチプレクサが設けられ、前記本体ボックスの外部入力端子にＶＣＤ／ＤＶＤ再生装置が接続され、前記本体ボックスの外部出力端子に複数のディスプレイモニター及び複数の制御パネルが接続され、前記制御パネルにテレビゲームコントローラまたはイヤホン、ヘッドマウントディスプレイを接続するための２つ以上の挿入孔が設けられたことを特徴とする車載用映像・音声視聴装置。
【請求項２】
ＤＶＢ−Ｔデジタルテレビ信号及びこれに接続された第一オーディオアンプの出力と、メモリバッファに接続されたＭＰＥＧ４モジュール及びこれに接続された第二オーディオアンプの出力とが一つのＡＶマルチプレクサに接続されてなる一組の回路が複数組設けられ、前記メモリに前記各組の回路のメモリバッファが接続され、かつ前記ブースターに前記各組の回路のＤＶＢ−Ｔデジタルテレビ信号が接続されたことを特徴とする請求項１に記載の車載用映像・音声視聴装置。
【請求項３】
前記メモリに、多数の映像ファイル、音楽ファイル、画像ファイル並びにテレビゲームソフトウェアが格納されたことを特徴とする請求項１に記載の車載用映像・音声視聴装置。
【考案の詳細な説明】
【技術分野】
【０００１】
本考案は、個人の好みでプログラムを選択し観賞することができる車載用映像・音声視聴装置に関し、例えば、複数の人が乗る自動車、バス、電車、飛行機、船舶等の交通手段において、複数の人が同じ時間に異なるプログラムの娯楽を使用するのに適した車載用映像・音声視聴装置に関する。
【背景技術】
【０００２】
大衆交通手段には多くの種類があるが、そのうちバスが最も普及している。バスを例として説明すると、Ａ地から客を乗せてＢ地へと走行する際に所要時間が五時間かかるとした場合、車上の乗客がその乗車中に退屈しないよう、一般的なバスの車内には複数のディスプレイモニターが設置され、これによりテレビ番組を放送して乗客に観賞させている。
【０００３】
上述のような従来の車上娯楽ＡＶ再生装置は、複数のディスプレイモニターに通じる信号ケーブルが運転席近くまで引かれ、運転席付近に設置されたビデオ録画再生装置に接続され、運転手本人または随行のバスガイドがビデオテープ或いは光ディスクをビデオ録画再生装置内に挿入し、これを読み取らせて再生し、ビデオの内容が信号ケーブルを介して複数のディスプレイモニターに伝送されて再生が行われる。
【考案の開示】
【考案が解決しようとする課題】
【０００４】
上記従来の車上娯楽ＡＶ再生装置は、車上の乗客に一種の娯楽を提供することができるものの、このような形式では車上で再生されるビデオを乗客が自ら選択して自分が見たいプログラムを見ることができるものではなく、受動的な観賞しかできない。また、車上に設置されたディスプレイモニターの数量が不足している場合、乗客は自分に最も近いディスプレイモニターで観賞するしかなく、このディスプレイモニターが遠すぎたり、角度が悪かったりするとよく見えない等、従来技術上の欠点となっている。
【０００５】
本考案はこれに鑑みてなされたもので、その目的は、観賞者が自ら個人の意思に基づいて好みの映像・音楽プログラムを任意に選択することができ、同一時間において単一のプログラムの再生にとらわれない車載用映像・音声視聴装置を提供することにある。
【課題を解決するための手段】
【０００６】
請求項１に係る車載用映像・音声視聴装置は、上記課題を解決するために、無線信号受信アンテナを備えた本体ボックスを含み、前記本体ボックスの内部に、メモリ、前記無線信号受信アンテナに接続されたブースター及び複数のＡＶマルチプレクサが設けられ、前記本体ボックスの外部入力端子にＶＣＤ／ＤＶＤ再生装置が接続され、前記本体ボックスの外部出力端子に複数のディスプレイモニター及び複数の制御パネルが接続され、前記制御パネルにテレビゲームコントローラまたはイヤホン、ヘッドマウントディスプレイを接続するための２つ以上の挿入孔が設けられたことを特徴とする。
【０００７】
請求項２に係る車載用映像・音声視聴装置は、請求項１に係る車載用映像・音声視聴装置において、ＤＶＢ−Ｔデジタルテレビ信号及びこれに接続された第一オーディオアンプの出力と、メモリバッファに接続されたＭＰＥＧ４モジュール及びこれに接続された第二オーディオアンプの出力とが一つのＡＶマルチプレクサに接続されてなる一組の回路が複数組設けられ、前記メモリに前記各組の回路のメモリバッファが接続され、かつ前記ブースターに前記各組の回路のＤＶＢ−Ｔデジタルテレビ信号が接続されたことを特徴とするものである。
【０００８】
請求項３に係る車載用映像・音声視聴装置は、請求項１に係る車載用映像・音声視聴装置において、前記メモリに、多数の映像ファイル、音楽ファイル、画像ファイル並びにテレビゲームソフトウェアが格納されたことを特徴とするものである。
【考案の効果】
【０００９】
本考案の車載用映像・音声視聴装置によれば、次の利点を備えている。ＤＶＢ−Ｔデジタルテレビ信号を受信できる。メモリカードに保存されたＡＶＩ、ＭＰＧ１、ＭＰ２、ＭＰ４映像ファイルを再生できる。メモリカードに保存されたＭＰ３を再生できる。ＡＶとサラウンド音声の入力を受け入れることができる。ＤＶＢ−Ｔデジタルテレビの視聴を個別に選択できる。メモリカードに保存されたビデオや音楽の視聴を個別に選択できる。ＤＶＤ、ＤＶＢ−Ｔとメモリカードの再生選択機能を切り換えることができる。
【考案を実施するための最良の形態】
【００１０】
以下、本考案の実施の形態を図面に基いて詳細に説明する。図１は、本考案の実施形態に係る車載用映像・音声視聴装置の正面図である。また、図２は車載用映像・音声視聴装置の電気的装置構成を示すブロック図である。図１に示すように、本考案の車載用映像・音声視聴装置は、無線信号受信アンテナを備えた本体ボックス１０を備え、本体ボックス１０の内部には、メモリ（ＳＤカード）１１、無線信号受信アンテナに接続されたブースター１２、複数のＤＶＢ−Ｔデジタルテレビ信号２０、複数の第一オーディオアンプ（Ａｕｄｉｏ  Ａｍｐｌｉｆｉｅｒ）２１、複数のメモリバッファ（Ｍｅｍｏｒｙ  Ｂｕｆｆｅｒ）２２、ＭＰＥＧ４モジュール２３（注：ＭＰＥＧ４はＭｏｔｉｏｎ  Ｐｉｃｔｕｒｅ  Ｅｘｐｅｒｔｓ  Ｇｒｏｕｐの動画像圧縮伸長技術である）、複数の第二オーディオアンプ（Ａｕｄｉｏ  Ａｍｐｌｉｆｉｅｒ）２４、複数のＡＶマルチプレクサ（Ｖｉｄｅｏ／Ａｕｄｉｏ  ｍｕｌｔｉｐｌｅｘｅｒ）２５が設置される。
【００１１】
図２に示すように、ＤＶＢ−Ｔデジタルテレビ信号２０及びこれに接続された第一オーディオアンプ２１の出力と、メモリバッファ２２に接続されたＭＰＥＧ４モジュール２３及びこれに接続された第二オーディオアンプ２４の出力とが一つのＡＶマルチプレクサ２５に接続されて一組の回路が構成され、前記一組の回路が複数組設けられる（本実施形態では４組設けられている）。本体ボックス１０の内部のメモリ１１には、前記各組の回路のメモリバッファ２２が（並列に）接続され、且つブースター１２には、前記各組の回路のＤＶＢ−Ｔデジタルテレビ信号２０が（並列に）接続されている。
【００１２】
図３は、本体ボックスとＶＣＤ／ＤＶＤ再生装置との接続を示す図である。メモリ１１には、多くの映像ファイル、音楽ファイル、画像ファイル、テレビゲームソフトウェアが格納され、本体ボックス１０の外部入力端子にＶＣＤ／ＤＶＤ再生装置１３が接続されると共に、本体ボックス１０の外部出力端子に複数のディスプレイモニター１４及び複数の制御パネル１５が接続され、制御パネル１５上に、ゲームコントローラ１６及びイヤホン１７（図４参照）、或いはヘッドマウントディスプレイ（図示しない）を接続するための２つ以上の挿入孔１５１，１５２が設けられている。
【００１３】
本体ボックス１０は、無線信号受信アンテナ及びブースター１２を介して６ＭＨｚ（台湾地域）、７ＭＨｚまたは８ＭＨｚ（ヨーロッパ地域）のＤＶＢ−Ｔデジタルテレビ信号を受信することができる。複数の制御パネル１５には、機能切り換え操作を行うための切り換えボタン１５３が設けられ、機能切り換えボタン１５３を押すことで、本体ボックス１０から再生が選択された信号を複数のディスプレイモニター１４で再生することができる。
【００１４】
メモリ１１に格納することができる映像・音声信号は、ＤＶＢ−Ｔデジタルテレビ信号、ＶＣＤ／ＤＶＤ再生装置１３の信号、ＡＶＩ、ＭＰＧ１、ＭＰ２、ＭＰ３、ＭＰ４等のＡＶファイルを含み、イヤホン１７を制御パネル１５の挿入孔１５１に接続することで、イヤホン１７とディスプレイモニター１４を利用してこれら信号のプログラムを観賞することができる。或いは、直接ヘッドマウントディスプレイ（図示しない）を接続すれば、ディスプレイでビデオ映像を見ると同時に付設のイヤホンで音声を聞くことができ、より便利に映像と音声を視聴することができる。
【００１５】
図４は、本考案の車載用映像・音声視聴装置をバスに設置した場合の使用例を示す。本体ボックス１０は、運転席の近傍に設置され、且つ、その近隣位置に設置されたＶＣＤ／ＤＶＤ再生装置１３と本体ボックス１０の外部入力端子とが接続されている。ディスプレイモニター１４は各座席のヘッドレスト背面上に設置され、制御パネル１５は各座席のアームレストに設置され、さらに各ディスプレイモニター１４及び各制御パネル１５の信号ケーブルが本体ボックス１０の外部出力端子まで引き伸ばされて接続されている。また、各座席には、ゲームコントローラ１６及びイヤホン１７、ヘッドマウントディスプレイ(図示しない)が配置される。
【００１６】
バスが複数の乗客を乗せた後、各乗客は座席のアームレスト上の制御パネル１５により機能切り換えボタン１５３を押して本体ボックス１０が提供する映像・音楽サービスを選択することができる。
【００１７】
例えば、第一の乗客（Ａ）が映画のビデオＸを観賞したい場合、制御パネル１５によりＶＣＤ／ＤＶＤ再生装置１３でのビデオＸの再生、或いはメモリ１１内に格納されたビデオＸの再生、或いは台湾、ヨーロッパ等の地域の無線信号デジタルテレビの再生を選択した後、イヤホン１７を制御パネル１５の挿入孔１５１に接続することで、自分で選定したビデオＸを観賞することができる。また、直接ヘッドマウントディスプレイ（図示せず）を接続して映像と音声を楽しむことができる。
【００１８】
第二の乗客（Ｂ）がビデオＸを観賞せず音楽を楽しみたい場合には、制御パネル１５でメモリ１１内に格納されたＭＰ３音楽Ｙを選択し、直接イヤホン１７で楽しむことができる。第三の乗客（Ｃ）がビデオＸとＭＰ３音楽Ｙのいずれも鑑賞せずにゲームをしたい場合には、ゲームコントローラ１６を制御パネル１５の挿入孔１５２に接続し、制御パネル１５の機能をメモリ１１に格納されたゲームエリアに切り換えることにより、ゲームコントローラ１６でゲームを楽しむことができる。
【００１９】
これら各乗客が異なる機能を選択した後、イヤホン１７を利用することで、相互に干渉を発生せずに済む。また、本体ボックス１０の内部にはメモリ１１が設けられ、大きな情報媒体保存エリアを備えているため、例えば、第四の乗客（Ｄ）が一定時間過ぎた後に映画のビデオＸを鑑賞したいと感じ、このとき初めて制御パネル１５によりメモリ１１に格納されたビデオＸを選択した場合、選択されたビデオＸはビデオの最初から内容を再生することができ、第一の乗客（Ａ）がすでに同じビデオＸを観賞していることの影響を受けることがない。このため、本考案は、本体ボックス１０が複数種の異なる映像・音声データ及びテレビゲームソフトウェアデータを統合し、それぞれ独立した状態で出力することができ、自動車、バス、電車、飛行機、船舶等の多くの人が乗用する交通手段に応用した場合、使用者が自由に好みの映像・音楽及びゲームのインターフェースを選択することができる。
【図面の簡単な説明】
【００２０】
【図１】本考案の実施形態に係る車載用映像・音声視聴装置の正面図である。
【図２】図１の車載用映像・音声視聴装置の電気的装置構成を示すブロック図である。
【図３】本体ボックスとＶＣＤ／ＤＶＤ再生装置との接続を示す図である。
【図４】本考案の車載用映像・音声視聴装置をバスに設置した場合の使用例を示す図である。
【符号の説明】
【００２１】
１０  本体ボックス
１１  メモリ
１２  ブースター
１３  ＶＣＤ／ＤＶＤ再生装置
１４  ディスプレイモニター
１５  制御パネル
１５１  挿入孔
１５２  挿入孔
１５３  機能切り換えボタン
１６  ゲームコントローラ
１７  イヤホン
２０  ＤＶＢ−Ｔデジタルテレビ信号
２１  第一オーディオアンプ（Ａｕｄｉｏ  Ａｍｐｌｉｆｉｅｒ）
２２  メモリバッファ（Ｍｅｍｏｒｙ  Ｂｕｆｆｅｒ）
２３  ＭＰＥＧ４モジュール（Ｍｏｔｉｏｎ  Ｐｉｃｔｕｒｅ  Ｅｘｐｅｒｔｓ  Ｇｒｏｕｐ）
２４  第二オーディオアンプ（Ａｕｄｉｏ  Ａｍｐｌｉｆｉｅｒ）
２５  ＡＶマルチプレクサ（Ｖｉｄｅｏ／Ａｕｄｉｏ  ｍｕｌｔｉｐｌｅｘｅｒ）
【図１】
0003127631.tif 000003
【図２】
0003127631.tif 000004
【図３】
0003127631.tif 000005
【図４】
0003127631.tif 000006